(57)【特許請求の範囲】
【請求項１】
外周に複数の開口部が形成されて内外が連通された有孔管材を取水部として地中に打ち込んでおこなう井戸の構築方法であって、取水部は、内外の方向に貫通する複数の透水孔をその周壁に同一方向にかつ直線状に延びるように形成した熱可塑性樹脂製かご状体の前記複数の透水孔を覆うように透水性フィルタを配置し、透水性フィルタは熱可塑性樹脂製かご状体の外側を覆い、その上をジオテキスタイルの網体（ジオグリッド）で押え、取水部先に尖り状の掘削ヘッドを設置し、取水部およびその上の取水管内を挿通する掘削回転軸で掘削ヘッドを回転させながら取水部およびその上の取水管を地中に掘進させることを特徴とする井戸の構築方法。
【請求項２】
掘削ヘッドは筒状胴体部を有し、筒状胴体部の先に放射線形状の先端翼を設け、また、筒状胴体部の周壁にコテ用凸条を設けてなる無排土掘削ヘッドである請求項１記載の井戸の構築方法。
【請求項３】
掘削ヘッドは、筒状胴体部の底に凹孔を形成し、掘削回転軸と着脱自在に係合させ、所定深度掘進後取水部およびその上の取水管とともに地中に残置する請求項２記載の井戸の構築方法。
【請求項４】
掘削ヘッドは筒状胴体部を有し、取水部先を嵌合する筒状胴体部の先に拡径羽根を設け、また、筒状胴体部の周壁にコテ用凸条を設けてなる無排土掘削ヘッドである請求項１記載の井戸の構築方法。
【請求項５】
掘削ヘッドは、筒状胴体部と掘削回転軸とを着脱自在に係合させ、所定深度掘進後取水部およびその上の取水管とともに筒状胴体部のみを地中に残置する請求項４に記載の井戸の構築方法。
【発明の詳細な説明】
【技術分野】
【０００１】
本発明は、取水目的の井戸、もしくは、汚染された土壌の地下水の調査や、土壌を浄化する工法などに使用される観測井戸などの井戸の構築方法に関するものである。
【背景技術】
【０００２】
従来、地中の地下水を採取したり、地中の気体を吸引したり、または地中に空気を送り込んだりするために、井戸を構築することが知られている。例えば、このような井戸は、ボーリングマシンで削孔したケーシング孔に、孔の直径より一回り小さい直径の井戸管を建て込み、その井戸管と孔壁との間には砂などのろ過材料を充填し、最後にケーシングを引き抜いて構築する。
【０００３】
この井戸管は、地下水を採取した際、深さの管壁に孔あるいは開口部（ストレーナ）が形成されており、地中から孔に流れ込んだ地下水は、ろ過材料によって土砂などの侵入が阻止されて、地下水のみがストレーナを通って井戸管の内部に流れ込むようになっている。
【０００４】
しかしながらこのような井戸の構築方法は、孔を掘削した後に井戸管の建て込み、ろ過材の充填、ケーシングの引き抜きなど工程が多くなるので手間がかかるうえに、使用部材が多いのでコストが高くなる傾向にある。
【０００５】
下記特許文献には外周に複数のスリットが形成されたスクリーン管を備えた特殊な井戸用管を、クローラ式の打込み機で地中に打ち込んで井戸を構築する方法が開示されている。
【特許文献１】特開２０００−２８４９５号公報
【０００６】
特許文献１では、図６に示すように、クローラ１３上に搭載された小形の打込機１５を使用し、管体２を土中へ打ち込む。
【０００７】
この打ち込みは、打込機１５のコラム１８に設けられた昇降装置１４を油圧により駆動して、該昇降装置に組み込まれた打撃ハンマー１６を上昇させて、矢印Ｐで示すように所定長の井戸用管１０の頭部を叩きながら井戸用管１０の打ち込みを行う。
【０００８】
なお、打撃ハンマー１６から打ち込み衝撃を受ける井戸用管１０の後端には被打撃ヘッド部３０が取り付けられている。
【０００９】
井戸用管１０を打ち込むにあたり、打撃ハンマー１６のストローク長を勘案した寸法の管体を構成する。
【００１０】
例えば貫入部１と短管２２、さらにスクリーン管４を接続して長さ１．５ｍの管体を用意し、該管体を地中に打ち込む。適宜の深さまで管体の打ち込みがなされたら、高さが１．０ｍの短管２２を継ぎ足して打ち込みを行う。
【００１１】
以下、順次短管を継ぎ足しながら井戸用管１０の土中Ｅへの打ち込みを行い、スクリーン管４が所定の深度に達したところで打ち込みを停止し、井戸の埋設が完了する。
【発明の概要】
【発明が解決しようとする課題】
【００１２】
前記特許文献１のように打撃ハンマーで頭部を叩きながら管体を地中に打ち込むのでは堅牢な管が必要となり、管の肉厚が厚くなるので内径が小さくなり、集水効率が低下するという問題がある。また、大きな内径を確保すると外径も大きくなるので、大型の打込み機が必要になる。
【００１３】
本発明の目的は前記従来例の不都合を解消し、打撃による埋設ではないので堅牢な管を用いずともすみ、その結果、迅速かつ安価に井戸の構築でき、例えば災害復旧活動時、水源確保が困難な地域のおける簡易井戸の構築などが可能となる井戸の構築方法を提供することにある。
【課題を解決するための手段】
【００１４】
前記目的を達成するため、請求項１記載の本発明は、外周に複数の開口部が形成されて内外が連通された有孔管材を取水部として地中に打ち込んでおこなう井戸の構築方法であって、取水部は、内外の方向に貫通する複数の透水孔をその周壁に同一方向にかつ直線状に延びるように形成した熱可塑性樹脂製かご状体の前記複数の透水孔を覆うように透水性フィルタを配置し、透水性フィルタは熱可塑性樹脂製かご状体の外側を覆い、その上をジオテキスタイルの網体（ジオグリッド）で押え、取水部先に尖り状の掘削ヘッドを設置し、取水部およびその上の取水管内を挿通する掘削回転軸で掘削ヘッドを回転させながら取水部およびその上の取水管を地中に掘進させることを要旨とするものである。
【００１５】
請求項１記載の本発明によれば、掘削回転軸で掘削ヘッドを回転させながら同時に取水部およびその上の取水管を地中に埋設して井戸を構築できるものであり、また、取水部は外周に複数の開口部が形成されて内外が連通された有孔管材によるものなので、ここから水を取り込むことができる。
【００１６】
また、複数の透水孔は、同一方向にかつ直線状に延びるようにそれぞれ形成されているため、透水孔の向きが地盤の水脈の流れに沿うように埋設することで透水効率を上げることができる。また、複数の透水孔が同一方向にかつ直線状に延びるように形成されているため、簡易な構造の金型を使用して形成することが可能になるため、製造コストを低減することができる。
【００１７】
さらに、透水孔を覆う透水性フィルタに地中の石、砂等が過度に付着すると、透水孔が水を通さなくなってしまう（透水孔に目詰まりが生じてしまう）が、透水孔の部位で比較的大きな石、砂等をまずブロックし、その後、透水性フィルタによって細かい砂等をブロックすることができる。このため、透水性フィルタに比較的大きな石、砂等が付着することを効果的に防止することができ、透水孔の目詰まりを効率良く防止することができる。
【００１８】
これに加えて、透水性フィルタが外周側に配置されると、透水性フィルタは土や砂等に常時接することになるが、その上をジオテキスタイルの網体（ジオグリッド）で押えることで防護し、透水性フィルタが破損することを効果的に防止することができる。
【００１９】
請求項２記載の本発明は、掘削ヘッドは筒状胴体部を有し、取水部の先を嵌合する筒状胴体部の先に放射線形状の先端翼を設け、また、筒状胴体部の周壁にコテ用凸条を設けてなる無排土掘削ヘッドであることを要旨とするものである。
【００２０】
請求項２記載の本発明によれば、掘削ヘッドは掘削回転軸で回転しながら降下し、土中を掘削推進するが、先端翼は放射線形状で、掘削ヘッド直下の土砂を回転により徐々に外径方向に搬送して、掘削していく。外径まで搬送された土砂はコテ用凸条によって掘削孔壁に押し付けることにより、無排土掘削を行うことができる。そして、土砂が圧密された孔壁は、その中を取水部およびその上の取水管が回転しながら降下していく場合に崩壊を生じるおそれがない。
【００２１】
請求項３記載の本発明は、掘削ヘッドは、筒状胴体部の底に凹孔を形成し、掘削回転軸と着脱自在に係合させ、所定深度掘進後取水部およびその上の取水管とともに地中に残置することを要旨とするものである。
【００２２】
請求項３記載の本発明によれば、掘削ヘッドは取水部およびその上の取水管とともに地中に残置するものであり、掘削回転軸は掘削ヘッドの掘進中はこれと係合して回転駆動を行うが、所定深度まで掘進した後では掘削ヘッドと切り離し、引き上げを行う。
【００２３】
請求項４記載の本発明は、掘削ヘッドは筒状胴体部を有し、取水部先を嵌合する筒状胴体部の先に拡径羽根を設け、また、筒状胴体部の周壁にコテ用凸条を設けてなる無排土掘削ヘッドであることを要旨とするものである。
【００２４】
請求項４記載の本発明によれば、拡径羽根を設けることで回転掘削時には羽根を拡径して必要な掘削径を確保できる。
【００２５】
請求項５記載の本発明は、掘削ヘッドは、筒状胴体部と掘削回転軸とを着脱自在に係合させ、所定深度掘進後取水部およびその上の取水管とともに筒状胴体部のみを地中に残置することを要旨とするものである。
【００２６】
請求項５記載の本発明によれば、拡径羽根を設ける場合でも同様に掘削ヘッドは取水部およびその上の取水管とともに地中に残置するものであり、掘削回転軸は掘削ヘッドの掘進中はこれと係合して回転駆動を行うが、所定深度まで掘進した後では掘削ヘッドと切り離し、引き上げを行う。
【発明の効果】
【００２７】
以上述べたように本発明の井戸の構築方法は、井戸を構築するための取水部およびその上の取水管を掘削と同時に回転力および圧縮力をかけること無く埋設することができ、打撃による埋設ではないので堅牢な管を用いずともすみ、その結果、迅速かつ安価に井戸の構築ができるものである。
【発明を実施するための形態】
【００２８】
以下、図面について本発明の実施の形態を詳細に説明する。図１は本発明の井戸の構築方法の第１実施形態を示す一部切欠いた正面図で、本発明により構築する井戸は取水管５の先端に取水部３を設けたものを井戸として埋設するものである。
【００２９】
取水部３は、周に複数の開口部が形成されて内外が連通された有孔管材で構成し、これに接続する取水管５には、塩化ビニル管、薄肉鋼管、ホース、蛇腹管などが使用できる。
【００３０】
このような取水管５の先端に取水部３を設けたもの井戸構成材は、掘削機により、掘進とともに設置するものであり、掘削機としては前記従来例として図５にその１例を説明すると、クローラ１３等の重機に起伏自在に備えたリーダー６のトップシーブから駆動装置７を昇降自在に吊り下げ、駆動装置７に連結する掘削回転軸８の先端に尖り状の掘削ヘッド９を設置した。この掘削機および掘削装置には、通常地盤改良、地質調査などで使用する重機および掘削ロッドが使用できる。
【００３１】
掘削ヘッド９は取水部の先を嵌合する筒状胴体部を有し、前記取水部３の先を嵌合する筒状胴体部１１の先にフィッシュテールと称する放射線形状の先端翼１２を設け、また、筒状胴体部１１の周壁に丸棒によるコテ用凸条１７を設けてなる無排土掘削ヘッドである。
【００３２】
先端翼１２は先端先細りで湾曲した羽根であり、本実施形態では掘削ヘッド９の中心を点対称として左右に配設される、その側端は筒状胴体部１１よりも張り出し、掘削径は一例としてφ１５５とした。
【００３３】
また、掘削ヘッド９は、掘削回転軸８と着脱自在に係合させるため、筒状胴体部１１の底板１１ａに掘削ヘッド９の中心を点対称として扇形の凹孔１９を形成した。
【００３４】
図示は省略するが、掘削回転軸８の先端には前記凹孔１９に係止する機構を設け、掘削回転軸８が正転の場合は掘削ヘッド９を拘束して回転駆動し、逆転の場合は掘削ヘッド９を離脱させるものである。
【００３５】
取水部３は、内外の方向に貫通する複数の透水孔２０をその周壁に同一方向にかつ直線状に延びるように形成した熱可塑性樹脂製かご状体２１による。
【００３６】
熱可塑性樹脂は、ポリエステル、ポリプロピレン等であり、各透水孔２０は、熱可塑性樹脂製かご状体２１の外周面から内周面まで延びるように形成されている。
【００３７】
透水孔２０は貫通方向の長さが所定寸法である第１の透水孔と、貫通方向の長さが所定寸法より長い第２の透水孔とを含んでいる。透水孔２０の長さが長いほど目詰まりし難くできるので、異なった長さの透水孔２０を設けることで、一時に全ての透水孔２０が地中の砂等によって目詰まりしたり、内部に砂等が侵入することを効果的に防止することができる。
【００３８】
熱可塑性樹脂製かご状体２１は円筒形で、円筒軸方向の断面視で半円形状の２分体を例えば超音波溶着等の方法によって溶着してなる。
【００３９】
熱可塑性樹脂製かご状体２１の内周面側または外周面側に透水性フィルタ２３を前記複数の透水孔２０を覆うように配置する。
【００４０】
透水性フィルタ２３は、その厚みが例えば１ｍｍ、２ｍｍ程度の不織布であり、熱可塑性樹脂製かご状体２１に一体成型されている。
【００４１】
透水性フィルタ２３は、熱可塑性樹脂製かご状体２１と同様に、熱可塑性樹脂製（ポリエステル、ポリプロピレン等製）である。これによって、熱可塑性樹脂製かご状体２１の金型成型時に、金型内に透水性フィルタ２３を入れた状態で、材料を金型内に入れることで、透水性フィルタ２３と熱可塑性樹脂製かご状体２１とを容易に溶着させて一体成型することが可能になる。
【００４２】
透水性フィルタ２３を熱可塑性樹脂製かご状体２１の外側を覆うように配設する場合には、さらにその上をジオテキスタイルの網体２４（ジオグリッド）で押える。
【００４３】
ジオグリッドには延伸ポリプロピレンテープ製の芯材に、エチレン・酢酸ビニル共重合樹脂を被覆した帯体を格子状に織り、交点を加熱融着により一体化した構造のセルフォース（旭化成工業株式会社の登録商標名）が好適であり、補強材として必要な引張強度特性、クリープ特性、耐衝撃性、耐久性、土との摩擦特性、耐薬品性に優れている。
【００４４】
セルフォースは、特に、耐衝撃性においては盛土材料が岩ずりでも、敷き均し転圧時の損傷による強度低下が小さく(強度保持率９４％以上)、安全性の高い土構造物が構築できるものであり、クリープ低減係数が大きく(０．６５)、本発明においてこのようなジオテキスタイルの網体２４で透水性フィルタ２３を外側から被覆保護した。網体２４の固定はクリップ止もしくは接着により行う。
【００４５】
本発明は掘削機により、先端に取水部３を設けた取水管５を地中に打ち込んで井戸を構築するものであり、掘削ヘッド９の筒状胴体部１１に取水部３の先を嵌合させ、掘削回転軸８を取水部３および取水管５に挿通させ、掘削回転軸８を回転（正転）させて掘削ヘッド９により掘進を行う。
【００４６】
掘削ヘッド９は先端翼１２で、掘削ヘッド直下の土砂を回転により徐々に筒状胴体部１１の外径方向に搬送し、外径まで搬送された土砂はコテ用凸条１７によって掘削孔壁に押し付けることにより、無排土掘削を行う。
【００４７】
土砂が圧密された孔壁は、その中を取水部３およびその上の取水管５が回転しながら降下していく場合に崩壊を生じるおそれがない。
【００４８】
取水部３が地下水脈まで達したら、掘削回転軸８を逆転させて掘削ヘッド９との係合を解除し、掘削ヘッド９をアンカー体として残置して掘削回転軸８のみを地上に引き抜く。
【００４９】
なお、取水管５はその径は取水部３の径よりも細いか、もしくは同等なものでよく、図示は省略するが途中継ぎ足し可能で、掘削回転軸８を継ぎ足す場合に、必要に応じて長くしていくことができる。
【００５０】
図２は本発明の第２実施形態を示すもので、掘削ヘッド９は、取水部３の先を嵌合する筒状胴体部１１の先に前記先端翼１２の代わりに拡径羽根２５を設けた。拡径羽根２５は掘削ヘッド９の軸部に対して掘削アーム２５ａが掘進時には広がるように軸着される。
【００５１】
なお、筒状胴体部１１の周壁にコテ用凸条１７を設けてなる無排土掘削ヘッドである点は前記第１実施形態と同じである。
【００５２】
この第２実施形態によれば掘削ヘッド９は、筒状胴体部１１と掘削回転軸８とを着脱自在に係合させ、所定深度掘進後、取水部３およびその上の取水管５とともに筒状胴体部１１のみを地中に残置して、拡径羽根２５ごと掘削回転軸８を地上に引き抜くことができる。
【００５３】
以上の適用例は、例えば簡易に井戸を構築する場合で、災害復旧時に迅速に井戸を構築する必要がある場合などに好適であり、地中に埋設され、地下水などに含まれる汚染物質の採取・観測井戸の構築などにも適用可能なものである。
【図面の簡単な説明】
【００５４】
【図１】本発明の井戸の構築方法の第１実施形態を示す一部切欠いた正面図である。
【図２】本発明の井戸の構築方法の第２実施形態を示す一部切欠いた正面図である。
【図３】掘削ヘッドの側面図である。
【図４】掘削ヘッドの底面図である。
【図５】掘削機の説明図である。
【図６】従来例を示す正面図である。
【符号の説明】
【００５５】
１…貫入部                      ２…管体
３…取水部                      ４…スクリーン管
５…取水管                      ６…リーダー
７…駆動装置                    ８…掘削回転軸
９…掘削ヘッド                  １０…井戸用管
１１…筒状胴体部                １１ａ…底板
１２…先端翼                    １３…クローラ
１４…昇降装置                  １５…打込機
１６…打撃ハンマー              １７…コテ用凸条
１８…コラム                    １９…凹孔
２０…透水孔                    ２１…熱可塑性樹脂製かご状体
２２…短管                      ２３…透水性フィルタ
２４…網体                      ２５…拡径羽根
２５ａ…掘削アーム              ３０…被打撃ヘッド部
【図１】
0005938453.tif 000002
【図２】
0005938453.tif 000003
【図３】
0005938453.tif 000004
【図４】
0005938453.tif 000005
【図５】
0005938453.tif 000006
【図６】
0005938453.tif 000007